(57)【要約】【課題】一本の針金を折り曲げて作ったダブルリングと呼ばれる針金製のリング状綴じ具により、綴じ穴つきの紙葉を必要に応じて差し換え自在に綴じることができ、新しい紙葉の綴じ具に対する綴じ込みが簡単な操作で迅速かつ綺麗に行えるようにする。【解決手段】紙葉１を包むカバー２０の一部に、多数の差込み突片１５を櫛状に設けた綴じ補助具１３を収納しておき、新しい紙葉１を綴じ具４に差し換える際に、紙葉１における綴じ穴２５設けた切り込み線２６より切り離された、綴じ穴２５と綴じ穴２５の間の余白部２７を前記綴じ補助具１３の差込み突片１５により、綴じ具の内側へ押し込んで綴じ合わせる。【選択図】  図９
2004230664.tif 000002
【特許請求の範囲】
【請求項１】
紙葉の側辺に開設した複数個の綴じ穴内に挿通される幅Ｗ１をもつた係止片を備える綴じ具と、この綴じ具の係止片によって綴じられる前記綴じ穴が、紙葉の端縁と綴じ穴との間に前記係止片の幅よりも細い幅Ｗ２の切り込み線を有している多数枚の紙葉と、前記紙葉を綴じた冊子の一部に着脱可能に収納されていて、差し換えの必要な新しい紙葉頁の綴じ穴側端縁を係止片の内側へ嵌め込むための綴じ補助具との組み合わせからなっており、前記綴じ補助具が、新しく綴じられる紙葉の端縁における各切り込み線の間の余白部を、綴じ具における各係止片の間の上方に配置して、この新しく綴じられる紙葉の切り込み線間余白部を、各係止片の間の下方内側へ押し下げることのできる多数の差込み突片を間隔をおいて突設した櫛状体からなっているリング綴じ冊子。
【請求項２】
差し換えの必要な新しい紙葉の綴じ穴側端縁を係止片に嵌め込むための綴じ補助具が、冊子の表紙に設けた保管用収納部に収納されている請求項１のリング綴じ冊子。
【請求項３】
冊子の外側が、表紙、背表紙、裏表紙からなる厚紙カバーに包まれており、裏表紙における背表紙との隣接部分の前記背表紙の折り線方向に沿った位置に、横方向に間隔をおいた左右一対の綴じ穴が、互いに中間部を細い切り込み線で連通するようにして、各係止片のピッチ間隔毎に開設されていて、前記綴じ具係止片が前記裏表紙の左右一対の綴じ穴内と冊子紙葉の綴じ穴内とに挿通されており、前記カバーの一部には綴じ補助具の保管用収納部が設けられていて、この収納部内に、綴じ穴側端縁の各切り込み線間の余白部を、各係止片間の下方内側へ押し下げることのできる多数の差込み突片を備えた綴じ補助具が、着脱自在に収納されている請求項１のリング綴じ冊子。
【発明の詳細な説明】
【０００１】
【発明の属する技術分野】
本発明は、紙葉の側辺に開設された複数個の綴じ穴内に、綴じ具のリング状係止片を挿通することで、紙葉を簡単に綴じたり外したりすることのできるリング綴じ冊子に関するものである。
【０００２】
【従来の技術】
従来における冊子の綴じ構造としては、重ね合わせた紙葉の背部を糊により固める周知の背綴じ製本以外の別の製本構造として、ルーズリーフ形式による爪形綴じ具の開閉により冊子を綴じるもの、針金を螺旋状に折り曲げて、冊子の綴じ穴内に回転しながら挿通して綴じるもの、針金をＵ字状に折り曲げた多数の係止片が間隔をおいて連続的に立ち上がるように突設させて、係止片を冊子の綴じ穴に挿通してからリング状に折り曲げて綴じるもの、あるいは複数個のボタン状綴じ具の外周係止片を冊子の綴じ穴内に嵌合して綴じるものなどが知られている（例えば、特許文献１、特許文献２、特許文献３）。
【０００３】
【特許文献１】
実公昭５６−２１５８０号（第１図、第２図）
【特許文献２】
登録実用新案公報第３０２３０８０号（図１，図２，図３，図４）
【特許文献３】
実開昭６３−１８４７８０号（第５図、第６図、）
【０００４】
これらのリング綴じ冊子は、頁のどの部分を開いても、それぞれの頁が安定よく平坦に開かれた状態で開かれるので、地図、楽譜、見本帳、料理・手芸の教則本などのようなものに広く利用されている。
【０００５】
【発明が解決すべき課題】
このようなリング綴じ冊子のうち、ルーズリーフ形式によるものは、バインダーを開閉することにより、必要な頁と不必要な頁との差し換えが可能なので、帳簿類に多く使用されるが、爪形の係止具を開閉するバインダーが価格的に高いために、用途が制限され、地図、楽譜、料理・手芸の教則本などには適さないという問題点がある。
【０００６】
また、針金を螺旋状に折り曲げて、冊子の綴じ穴内に回転しながら挿通して綴じるものは、綴じ穴に綴じ具としての針金を一本しか挿通できないために、螺旋綴じ具の直径およびピッチをあまり大きくすることがでず、従って、紙葉束のあまり厚くないノートブックや、メモ帳などに使用が限定されて、紙葉枚数の厚くなる地図、見本帳にような冊子には適さないという問題がある。
【０００７】
一方、複数個のボタン状綴じ具の外周縁のキノコ状断面形係止片を、冊子の綴じ穴内に嵌合して綴じるものでは、綴じ穴と紙葉の端縁との間に切り込み線が設けられていて、綴じ具外周の係止片を、切り込み線を押し開きながら綴じ穴内に嵌め込んで綴じ合わせるものであるため、紙葉を、綴じ穴から係止片が外れるようにして、切り込み線が押し開かれるように引っ張ると、紙葉を冊子から剥がして別の頁を差し換えることができる。
【０００８】
しかし、このボタン状綴じ具は、それぞれの綴じ具が互いに一体的な連結手段をもたず、バラバラに独立していて、冊子は個々のボタン状綴じ具を嵌めた部分だけで綴じられるので、冊子の綴じ部は曲げ強度に弱く、容易に折れ曲がってしまうという問題点、ボタン状綴じ具が相互に連結性を有していないので、個々に綴じ穴から外れた場合に紛失してしまうという問題点、綴じ具の単価が高く経済的な面で適さないという問題点を有していた。
【０００９】
さらに、針金をＵ字状に折り曲げてなる多数の係止片を間隔をおいて連続的に立ち上がるように突設させて、これらの係止片を冊子の綴じ穴に挿通してからリング状に折り曲げて綴じるものは、一個の係止片が、それぞれＵ字状の平行な２本の針金からなっているのでダブルリングと呼ばれており、個々の係止片自体が強度を有することはもとより、綴じ具も全長にわたって連続性を有しているので、綴じ具として十分な曲げ強度を有している。
【００１０】
このダブルリングによる綴じ構造においても、特許文献２に示すように、それぞれの綴じ穴に紙葉の端縁との間に切り込み線を設けることによって、必要に応じて不要になった頁を引っ張って綴じ具から外すことができる。
【００１１】
しかし、このダブルリング綴じ具は、それぞれの係止片が１本の針金をＵ字状に折り曲げることで造られていて、それぞれの係止片のピッチ間隔が１ｃｍ程度と非常に短い間隔をおいて連続しており、Ａ４版の冊子の場合、背綴じ部に合計３０個の係止片が突出しているために、不要な頁を綴じ具から引き剥がすことは簡単にできても、差し替えのための新しい頁を綴じ具に綴じ合わせるためには、新しい頁における一つ一つの綴じ穴を、指先で対応する一つ一つの係止片に嵌め合わせていかなければならず、１枚の差し換え用の新しい頁を綴じ具に綴じ込むために３乃至５分の時間を必要とするという問題点を有している。
【００１２】
【課題を解決するための手段】
本発明は、従来におけるボタン状リング、あるいはダブルリングなどの綴じ具により綴じられる冊子の紙葉を、差し換えの必要が生じた時に、古い頁を綴じ具から引き剥がした位置に、新しい頁を綴じ具に対してきわめて簡単な操作により能率的に綴じ込むことができるようにしたリング綴じ冊子の提供を目的としたものである。
【００１３】
請求項１の発明は、そのための具体的手段として、紙葉の側辺に開設した複数個の綴じ穴内に挿通される幅Ｗ１をもつた係止片を備える綴じ具と、この綴じ具の係止片によって綴じられる前記綴じ穴が、紙葉の端縁と綴じ穴との間に前記係止片の幅よりも細い幅Ｗ２の切り込み線を有している多数枚の紙葉と、前記紙葉を綴じた冊子の一部に着脱可能に収納されていて、差し換えの必要な新しい紙葉の綴じ穴側端縁を係止片の内側へ嵌め込むための綴じ補助具との組み合わせからなっており、前記綴じ補助具が、新しく綴じられる紙葉の端縁における各切り込み線の間の余白部を、綴じ具における各係止片の間の上方に配置して、この新しく綴じられる紙葉の切り込み線間余白部を、各係止片の間の下方内側へ押し下げることのできる多数の差込み突片を間隔をおいて突設した櫛状体からなっていることを特徴とする。
【００１４】
請求項２の発明は、新しい紙葉を綴じ込むため必要な綴じ補助具を保管するための手段に係るものであり、この綴じ補助具を冊子に保管する手段としては、冊子の表紙における裏面に袋状の保管用収納部を設けておいて、綴じ補助具が常に冊子の一部に収納されており、差し換えの必要が生じたときに、収納部から取り出して直ちに使用できるようにしておくことが好ましい。
【００１５】
請求項３の発明は、冊子の外側が、表紙、背表紙、裏表紙からなる厚紙カバーに包まれており、裏表紙における背表紙との隣接部分の前記背表紙の折り線方向に沿った位置に、横方向に間隔をおいた左右一対の綴じ穴が、互いに中間部を細い切り込み線で連通するようにして、各係止片のピッチ間隔毎に開設されていて、前記綴じ具係止片が前記裏表紙の左右一対の綴じ穴内と冊子紙葉の綴じ穴内とに挿通されており、前記カバーの一部には綴じ補助具の保管用収納部が設けられていて、この収納部内に、綴じ穴側端縁の各切り込み線間の余白部を、各係止片間の下方内側へ押し下げることのできる多数の差込み突片を備えた綴じ補助具が、着脱自在に収納されていることを特徴とする。
【００１６】
【発明の実施の形態】
次に、本発明に係るリング綴じ冊子の構造を図面に示す第１の実施例について説明すると、図１乃至図３に示すように、この冊子の構造では、綴じ具として一本の針金５により多数のＵ字状係止片６が連続的に折り曲げられたダブルリング綴じ具４が使用される。
【００１７】
このダブルリング綴じ具４は、図１に示すように、連続する一本の針金５により、紙葉１の側辺に開設されたそれぞれの綴じ穴３内に挿通できるような幅Ｗ１をもつたＵ字状の係止片６を折り曲げ、前記係止片６の基端部７には、それぞれの綴じ穴３の間を横方向に連結する長さの接続片８を介して、さらに同様のＵ字状係止片６が多数平行に突出されるように折り曲げられている。
【００１８】
それぞれの紙葉１の端縁２には、綴じ具４の係止片６の突設位置と同じ位置に、係止片６の幅Ｗ１よりもやや大きく、係止片６を楽に挿通することのできる幅Ｗ３を持った綴じ穴３が、多数、端縁２に沿って開設されており、これらの綴じ穴３に、綴じ具４の係止片６が挿通されて紙葉１が綴じられるが、それぞれの綴じ穴３と端縁２との間には、係止片６の幅Ｗ１よりも小さい幅Ｗ２の切り込み線９が設けられている。
【００１９】
それぞれの綴じ穴３と端縁２との間に切り込み線９が設けられることにより、これらの切り込み線９は、いずれも各係止片６の真下に位置することになり、各切り込み線９の間の幅Ｗ４をもつ余白部１０は、その両側縁１０ａが各係止片６の内側に係止された状態で綴じられることになる。
【００２０】
紙葉１の最上面には、紙葉１よりも厚手の表紙カバー１１が配置されている。このカバー１１は、紙葉１と同様に端縁２に綴じ穴３を有し、これらの綴じ穴３には、端縁２との間にそれぞれの切り込み線９を有している。さらに、図５に示すように、このカバー１１の裏面の一部には、後に紙葉１を差し換える必要が生じた時に、新しい紙葉１を綴じ具４に綴じ合わせる操作に使用する綴じ補助具１３の袋状保管用収納部１２が設けられている。
【００２１】
上記の綴じ補助具１３は、所定の長さを有する基端辺１４から、前記綴じ具係止片６の間に位置する紙葉１の端縁余白部１０の表面を、各係止片６の間を通して上方から押さえることのできる幅Ｗ５をもった多数の差込み突片１５が、それぞれの突片１５の間に綴じ具係止片６の幅Ｗ１が嵌り込むような間隔をおいて突設された櫛状体からなっており、この綴じ具補助具１３が、カバー１１に設けられた前記保管用収納部１２内に引き出し自在に収納されている。この綴じ具補助具１３の長さは、綴じ具４の全長に及ぶような長さであっても、あるいは、綴じ具４の半分の長さであってもよい。
【００２２】
図６は、紙葉１を重ねた冊子の外側を、表紙２１、背表紙２２、裏表紙２３からなる厚紙カバー２０により包んだ場合の実施例である。このカバー２０では、裏表紙２３における背表紙２２との隣接部分に背表紙２２の長さ方向に沿った折り線２４を設けるとともに、この折り線２４を中心とする両側位置に、間隔をおいて左右一対の綴じ穴２５が、互いに中間部を細い切り込み線２６により連通するようにして、各係止片６の間隔毎に開設されている。また、切り込み線２６の間の幅Ｗ４をもつ余白部２７は、その両側縁２７ａが各係止片６の内側に係止された状態で綴じられている。
【００２３】
この場合も図９に示すように、カバー２０における表紙２１もしくは裏表紙２３の内側面の一部に綴じ補助具１３の保管用収納部１２が設けられていて、この収納部１２内に多数の差込み突片１５をもった綴じ補助具１３が収納されている。
【００２４】
綴じ具４による紙葉１の綴じ込みに際しては、図１に示すように、紙葉１およびカバー１１、２０の綴じ穴３、２５へ綴じ具４の係止片６を挿通するようにして、カバー１１、２０と所定枚数の紙葉１とを綴じ穴３、２５に係止させたあと、図２のように各係止片６の先端部６ａを互いに基端部７の方向へリング状に折り曲げて、多数枚の紙葉１とカバー１１、２１を綴じ具４に綴じ合わせる。
【００２５】
上記のようにして、紙葉１とカバー１１、２０との綴じ穴３、２５内に綴じ具４の係止片６が挿通されることで、綴じ穴３、２５と連通する切り込み線９、２６がそれぞれの係止片６の真下に位置するとともに、上方の切り込み線９、２６と下方の切り込み線９、２６との間の余白部１０、２７がそれぞれの係止片６の間の下方に位置する状態となり、紙葉１およびカバー１１，２０は綴じ具４を中心にして回転している限り、切り込み線９、２６が開いて係止片６から剥がれることはなく、冊子綴じ具としての機能を適切に保持する。
【００２６】
冊子の発行後に、紙葉１の一部に印刷内容の修正があって、その頁を差し換える必要が生じた場合には、図４のように、古い紙葉１を係止片６から綴じ穴３が外れるように冊子の上方へ向けて引き剥がすように引っ張ると、切り込み線９が上方の係止片６により押し開かれて係止片６から外れるので、古い紙葉１を綴じ具４から破れることなく取り外すことができる。
【００２７】
図５に示した表紙カバー１１の場合は、紙質が紙葉１よりやや厚いだけで綴じ具穴と切り込み線の構成は紙葉１と変わらないので、表紙カバー１１の取り外しも、紙葉１の場合と同様に簡単に行うことができる。また、図６に示したカバー２０の場合も、左右の綴じ穴２５の間が切り込み線２６により切断されているために、図７に示すように、綴じ具４によって綴じられている紙葉１の束とカバー２０とを、互いに上下方向に引き剥がすように引っ張ると、切り込み線２６が係止片６により押し開かれて、係止片６から外れるので、カバー２０を綴じ具４から取り外すことができる。
【００２８】
綴じ具４から取り外した紙葉１に換えて、修正された新しい紙葉１を綴じ具４に綴じる際には、図８ａのように、新しい紙葉１を、挿入すべき頁と頁との間における各係止片６の上に、新しい紙葉１の切り込み線９が載置されるように配置して、カバー１１の内側の保管用収納部１２に収納されていた綴じ補助具１３を取り出して、この綴じ補助具１３の差込み突片１５を切り込み線９の間の余白部１０の表面にあてがい、その位置でそれぞれの差込み突片１５を上方から下方へ押し込む。
【００２９】
すると、図８ｂおよび図９に示すように、それぞれの切り込み線９が押し開かれて余白部１０が係止片６の内側下方へ押し込まれ、今度は余白部１０の両側縁の切り込み線９が係止片６の内側に係止されることになるので、この一回の操作によって多数の余白部１０が一度に綴じ具４に綴じ合わされることになる。
【００３０】
カバー２０も新しい修正されたものに変更する必要があって、図７のように綴じ具４からカバー２０を引き剥がしたのちに、新しいカバー２０を綴じ具４に取り付ける場合には、図１０に示すように、新しいカバー２０における左右の綴じ穴２５の間の各切り込み線２６を綴じ具４における各係止片６の上に配置して、綴じ具補助具１３の差込み突片１５により各切り込み線２６の間の余白部２７を下方へ押し込むと、図６に示したように、新しい頁の余白部２７が係止片６によるリングの内側に係止されて綴じられることになる。
【００３１】
綴じ補助具１３の長さを綴じ具４の全長と同じとした場合には、一回の操作で新しい紙葉の差し換えが行え、綴じ補助具１３の長さを綴じ具４の半分の長さとした場合には、綴じ具４上半分と下半分とに分けて二回操作することになるが、半分の長さとした場合でもごく短い時間で新しい紙葉およびカバーの差し換え作業を行うことができる。
【００３２】
【発明の効果】
本発明のリング綴じ冊子では、上記のように、綴じ具として各係止片のピッチ間隔が１ｃｍ程度の非常に短い間隔で連続するダブルリングを用いた場合でも、不要な紙葉を綴じ具から引き剥がしたあとに行う、新しい紙葉の差し換え作業を、冊子あるいはカバーに付設しておいた綴じ補助具１３の差込み突片１５を利用して、多数の切り込み線間の余白部２７を一回もしくは二回医程度の簡単な操作で、能率よく破損することなく、係止片６の内側下方へ綴じ込むことができる。
【００３３】
本発明の冊子のように、紙葉を頻繁に差し換える必要のある冊子としては、例えば、商品の品数が多く、新商品が生まれる都度、そのサンプルを遅滞なく顧客に提示する必要のある商品見本帳のような冊子があり、このような見本帳では、多数の頁をごく短期間のうちに能率的に差し換えできることが必要となる。そのような場合、本発明の綴じ補助具のようなものが備えられていない場合には、新頁の各係止片の間の余白部を指先で一つ一つ下方へ押し込んでいかなければならないため、一枚の新頁を差し換えるのに３乃至５分の時間と労力とを必要とするが、本発明の綴じ補助具によればこのような煩わしさを確実に解消することができ、この種の冊子の利用度を大幅に拡張することができる。
【００３４】
また、図６のように、冊子を表紙２１と、背表紙２２と、裏表紙２３とからなる厚紙カバー２０により包む構造では、ダブルリング綴じ具４を裏表紙２３の背表紙２２に隣接した部分に設けることにより、背表紙２２には綴じ具４が表れず、背表紙２２にその冊子のタイトルを標記することができ、識別し易い保管形態を得られるという利点を有する。
【００３５】
さらに、紙葉およびカバーを差し換えるために必要なの綴じ補助具は、扁平な櫛状体からなっていて、利用しないときはカバーの裏面に設けた袋状の保管用収納部内に収納しておけば、冊子の通常の使用になんら邪魔にならず、しかも紛失のおそれがないので、頻繁に頁の差し換えを必要とする見本帳などには不可欠な用具である。
【図面の簡単な説明】
【図１】本発明に係るリング綴じ冊子の綴じ具と紙葉との構成を示す斜視図。
【図２】綴じ込み後の紙葉を閉じた状態の斜視図。
【図３】綴じ込み後の紙葉を開いた状態の斜視図。
【図４】紙葉を綴じ具から引き剥がしている状態を示す斜視図。
【図５】綴じ補助具の保管用収納部を設ける部分を示す斜視図。
【図６】紙葉束を表紙、背表紙、裏表紙からなるカバーで包んだ場合の裏表紙側を示す斜視図。
【図７】図６に示すカバーを紙葉束の綴じ具から外す時の状態を示す側面図。
【図８】紙葉を綴じ補助具を用いて取り付ける時の側面図であり、ａは装着前、ｂは装着後の状態を示す。
【図９】図６に示すカバーで紙葉束を包んだ場合における綴じ補助具の保管用収納部を設ける部分と、綴じ補助具で紙葉を綴じ込むための操作を示す斜視図。
【図１０】図６に示すカバーを紙葉束から引き剥がした後に、綴じ補助具を用いて再びカバーを紙葉束に綴じ合わせる操作を示す斜視図。
【符号の説明】
１：紙葉、
２：端縁、
３：綴じ穴、
４：綴じ具、
５：針金、
６：係止片、
７：基端部、
８：接続片、
９：切り込み線、
１０：余白部、
１１：表紙カバー、
１２：保管用収納部、
１３：綴じ具補助具、
１４：基端辺、
１５：差込み突片、
２０：カバー、
２１：表紙、
２２：背表紙、
２３：裏表紙、
２４：折り線、
２５：綴じ穴、
２６：切り込み線、
２７：余白部
【図１】
2004230664.tif 000003
【図２】
2004230664.tif 000004
【図３】
2004230664.tif 000005
【図４】
2004230664.tif 000006
【図５】
2004230664.tif 000007
【図６】
2004230664.tif 000008
【図７】
2004230664.tif 000009
【図８】
2004230664.tif 000010
【図９】
2004230664.tif 000011
【図１０】
2004230664.tif 000012